(57)【特許請求の範囲】
【請求項１】
ゴルフ場のグリーンのホールカップ内に設置されるゴルフコース旗竿であって、
前記ホールカップの中央に抜き差し可能に配置される軸体と、
前記軸体の軸に沿って移動可能に保持され、前記ホールカップにカップインするボールを受けて保持する受け皿と、
一端が前記受け皿に接続され、前記軸体に挿通される筒体と、前記軸体に配置され、前記受け皿をカップインする前記ボールを受ける第１の位置で保持する保持手段と、前記筒体と前記軸体の上端との間に配置され、前記筒体を前記ホールカップの外側で前記ボールを取り出す第２の位置に向かって付勢する付勢手段と、を備え、前記受け皿を前記第１の位置から前記第２の位置に移動させる移動手段と、を備えた、
ことを特徴とするゴルフコース旗竿。
【請求項２】
前記保持手段は、基端が前記軸体の外周面に形成された凹部に固定され先端に突起体を有するバネ材で片持ち支持された係合片と、前記筒体に設けられた孔と、からなり、
前記突起体が前記バネ材の弾力によって前記孔に嵌り込むように付勢されることにより、前記筒体を前記軸体の軸方向に移動不能に保持する、
ことを特徴とする請求項１に記載のゴルフコース旗竿。
【請求項３】
前記軸体の外周に配置され、前記軸体と前記第１の位置で保持された前記筒体との係合を解除する解除手段を更に備えた、
ことを特徴とする請求項２に記載のゴルフコース旗竿。
【発明の詳細な説明】
【技術分野】
【０００１】
本発明は、ゴルフコース旗竿に関する。
【背景技術】
【０００２】
パークゴルフのホールカップに設置されるボール取り出し装置であって、ピンの軸に沿って可動自在に保持され、ホールカップにカップインするボールを受けて保持するボール受け皿と、ボール受け皿を、ピンの軸に沿って、上方に可動させる可動機構とを備えるボール取り出し装置が知られている（特許文献１）。
【０００３】
ゴルフ場（練習用を含む）のグリーンのカップ内にボール受皿と補助カバーを設け、一方旗竿には底部にマグネットを着けたボビンを旗竿に通し旗竿内で滑車を介して紐で連結しである旗竿の大体肩当りの高さのボビンを下げることによりボール受皿が浮上するゴルフカップ中に設けられたボール受皿浮上装置も知られている（特許文献２）
【先行技術文献】
【特許文献】
【０００４】
【特許文献１】特開２００２−２６３２２７号公報
【特許文献２】特開昭５５−０５８１７８号公報
【発明の概要】
【発明が解決しようとする課題】
【０００５】
本発明は、旗竿を立てたままでパットをした場合に、ホールのふちを傷めることなくホールカップの外側でボールを取り出し、プレー時間の短縮を図ることができるゴルフコース旗竿を提供することを目的とする。
【課題を解決するための手段】
【０００６】
前記課題を解決するために、請求項１に記載のゴルフコース旗竿は、
ゴルフ場のグリーンのホールカップ内に設置されるゴルフコース旗竿であって、
前記ホールカップの中央に抜き差し可能に配置される軸体と、
前記軸体の軸に沿って移動可能に保持され、前記ホールカップにカップインするボールを受けて保持する受け皿と、
一端が前記受け皿に接続され、前記軸体に挿通される筒体と、前記軸体に配置され、前記受け皿をカップインする前記ボールを受ける第１の位置で保持する保持手段と、前記筒体と前記軸体の上端との間に配置され、前記筒体を前記ホールカップの外側で前記ボールを取り出す第２の位置に向かって付勢する付勢手段と、を備え、前記受け皿を前記第１の位置から前記第２の位置に移動させる移動手段と、を備えた、
ことを特徴とする。
【０００８】
請求項２に記載の発明は、請求項１に記載のゴルフコース旗竿において、
前記保持手段は、基端が前記軸体の外周面に設けられた凹部に固定され先端に突起体を有するバネ材で片持ち支持された係合片と、前記筒体に設けられた孔と、からなり、
前記突起体が前記バネ材の弾力によって前記孔に嵌り込むように付勢されることにより、前記筒体を前記軸体の軸方向に移動不能に保持する、
ことを特徴とする。
【０００９】
請求項３に記載の発明は、請求項２に記載のゴルフコース旗竿において、
前記軸体の外周に配置され、前記軸体と前記第１の位置で保持された前記筒体との係合を解除する解除手段を更に備えた、
ことを特徴とする。
【発明の効果】
【００１０】
請求項１に記載の発明によれば、旗竿を立てたままの状態で、ホールカップの外側でボールを取り出し、プレー時間の短縮を図ることができる。
【００１２】
請求項２に記載の発明によれば、受け皿をカップインするボールを受ける第１の位置に保持することができる。
【００１３】
請求項３に記載の発明によれば、ワンタッチで受け皿をホールカップの外側に移動させることができる。
【図面の簡単な説明】
【００１４】
【図１】本実施形態に係るゴルフコース旗竿の構成を示す断面模式図である。
【図２】受け皿とホールカップの内面側を示す斜視図である。
【図３】（ａ）は軸体に設けられた係合片の斜視図、（ｂ）は筒体に形成された孔の斜視図、（ｃ）は保持状態の保持機構を示す一部断面模式図、（ｄ）は保持状態が解除された保持機構を示す一部断面模式図である。
【図４】（ａ）は保持機構の突起体と筒体の孔の係合を解除する状態を示す図、（ｂ）は筒体が軸体の軸に沿って上方に移動した状態を示す図である。
【図５】受け皿がホールカップの外側でボールを取り出す第２の位置に位置した状態を示す図である。
【発明を実施するための形態】
【００１５】
次に図面を参照しながら、本発明の実施形態の具体例を説明するが、本発明は以下の実施形態に限定されるものではない。
尚、以下の図面を使用した説明において、図面は模式的なものであり、各寸法の比率等は現実のものとは異なることに留意すべきであり、理解の容易のために説明に必要な部材以外の図示は適宜省略されている。
【００１６】
（１）ゴルフコース旗竿の構成
図１は本実施形態に係るゴルフコース旗竿１０の構成を示す断面模式図、図２は受け皿３０とホールカップ１００の内面側を示す斜視図、図３（ａ）は軸体２０に設けられた係合片５１の斜視図、（ｂ）は筒体４１に形成された孔４３ａ、４３ｂの斜視図、（ｃ）は保持状態の保持機構５０を示す一部断面模式図、（ｄ）は保持状態が解除された保持機構５０を示す一部断面模式図である。
以下、図面を参照しながら、本実施形態に係るゴルフコース旗竿１０の全体構成について説明する。
【００１７】
（１．１）ホールカップ
ホールカップ１００は、ゴルフ場のフェアウェイにホールカッターで穴を開けて地中に埋設される金属製の円筒容器で、例えばその直径が１０８ｍｍのステンレス又はアルミダイキャスト製で、図１に示すように中心に向かって底面１１０が円錐形状に盛り上がった椀蓋状に形成されている。
椀蓋状の最も低い箇所となる底面１１０には、図２に示すように、周方向に沿って複数の水抜き孔１１１が設けられている。これによりホールカップ１００は、これらの水抜き孔１１１を介してホールカップ１００内に入る雨水を地中へ排水することができるようになっている。底面１１０の中央には、後述する旗竿１０を抜き差し可能に保持する支筒１１２が立設されている。
【００１８】
（１．２）ゴルフコース旗竿
ゴルフコース旗竿（以下、単に旗竿と記す）１０は、ホールカップ１００の底面１１０の支筒１１２に抜き差し可能に配置される軸体２０と、ホールカップ１００にカップインするボールＢを受けて保持する受け皿３０と、受け皿３０を、カップインするボールＢを受ける第１の位置からホールカップ１００の外でボールＢを取り出す第２の位置に軸体２０の軸に沿って移動させる移動手段の一例としての移動機構４０からなる。
【００１９】
軸体２０は、図１に示すように、旗竿１０の支柱となる円柱体であり、下端部２１はフランジ部２２を有し、支筒１１２に抜き差し可能に配置されるために金属製であることが好ましい。
軸体２０の下端部２１を除く全体は、軸体２０に挿通される筒体４１の外径が１９ｍｍ以内であることから、直径が１５ｍｍ以内の丸棒であり、軽量化のために木製であること好ましい。
【００２０】
受け皿３０は、ホールカップ１００にカップインするボールＢを受けて保持する部材であり、ホールカップ１００の内径（１０８ｍｍ）よりも一回り小さい円形板状に形成されている。受け皿３０には、図１、図２に示すように、複数の貫通孔３１が形成されている。貫通孔３１は、ボールＢの外形よりも小さく形成され、図１に示すように、ホールカップ１００にカップインしたボールＢが嵌り込んでボールＢを受け皿３０上で一時的に保持できるようになっている。また、貫通孔３１は、ホールカップ１００内に入る雨水をホールカップ１００の底面１１０へ向かって排水する排水口としても機能するようになっている。
【００２１】
受け皿３０の外周縁には、ホールカップ１００の開口側に周囲が立ち上がるように壁部３２が設けられている。壁部３２によって、受け皿３０がホールカップ１００の外側でボールＢを取り出す第２の位置に移動した際に、ボールＢが転げ落ちないようになっている。
受け皿３０は、カップインするボールＢを受けた際に、心地よい音響を発することが望ましく、例えば、金属製であることが好ましい。
【００２２】
移動機構４０は、一端が受け皿３０に接続され、軸体２０に挿通される筒体４１と、筒体４１と軸体２０の上端との間に配置され、筒体４１を第２の位置に向かって付勢する付勢手段の一例としてのコイルばね４２と、軸体２０の外周に配置され、受け皿３０を第１の位置で保持する保持手段の一例としての保持機構５０から構成されている。
【００２３】
筒体４１は、図１に示すように、軸体２０の外径ｄ１よりも僅かに大きい内径Ｄ１を有する円筒パイプであり、軸体２０に挿通できるようになっている。また、筒体４１は、旗竿１０の外面を構成するものであり、ゴルフ規則によれば、旗竿は直径が１９ｍｍ以下、長さは２．１３ｍ以上と規定され、本実施形態においては、例えば外径１８ｍｍ、長さは例えば２．１５ｍとなっている。このような円筒パイプとしては、強度と軽量性の観点からアルミ製が好ましい。
【００２４】
筒体４１の下端４１ａは、受け皿３０の中央部で受け皿３０と接続されて一体化されている。筒体４１と受け皿３０の接続は、嵌めこみ、ネジ止め、接着等、筒体４１と受け皿３０が確実に一体化される方法であれば特に限定されない。
【００２５】
筒体４１の上端側は蓋部４１ｂで塞がれ、図１に示すように、軸体２０の上端２０ａとの間にコイルばね４２が配置されている。筒体４１が、後述する保持機構５０で第１の位置で保持されている状態では、コイルばね４２は圧縮されて、筒体４１を第２の位置に向かって付勢するように上方に付勢力を有している。
【００２６】
保持機構５０は、基端５１ａが軸体２０の外周に固定された係合片５１と、筒体４１に設けられた孔４３ａからなる。
図３（ａ）に示すように、軸体２０の外周には、凹部２３が形成され、凹部２３には、係合片５１が固定されている。
係合片５１は、基端５１ａが凹部２３に固定され、先端が自由端となっているバネ材であり、先端側には先端ＳＲ形状の突起体５２を有している。また、突起体５２のさらに先端側には解除手段の一例としての突出部５３が配置されている。突出部５３は、突起体５２よりもその高さが低く、全体がなだらかなボタン状となっている。
【００２７】
図３（ｂ）に示すように、筒体４１には、孔４３ａ、４３ｂが設けられている。孔４３ａは長孔形状であり、係合片５１の自由端側に設けられた突起体５２がバネ材の弾力によって嵌まり込むことにより、筒体４１を軸体２０の軸方向に移動不能に保持する。これにより、筒体４１の下端４１ａに接続された受け皿３０が第１の位置に位置することになる。
【００２８】
また、軸体２０と筒体４１とは、軸体２０に設けられた係合片５１の突起体５２と筒体４１に設けられた孔４３ａとの移動方向と交差する周方向の位置ずれを防止するために、例えば、軸体２０の外周に移動方向に延びるガイド溝、筒体４１の内面側にガイド溝に嵌りこむ凸状のガイドが設けられていることが好ましい。
【００２９】
孔４３ｂは、孔４３ａに隣接して設けられ、係合片５１の先端側に設けられた突出部５３を受け入れる大きさとなっている。図３（ｄ）に示すように、筒体４１が係合片５１の突起体５２が筒体４１の孔４３ａに嵌まり込んで保持されている状態で、孔４３ｂを介して突出部５３を軽く押圧する（図３（ｄ）中  矢印Ｒ１参照）と、バネ材である係合片５１は、軸体２０の凹部２３内に入り込み、突起体５２と筒体４１の孔４３の係合が解除される。これにより、コイルばね４２の付勢力で筒体４１がボールＢを取り出す第２の位置に向かって（図３（ｄ）中  矢印Ｒ２参照）移動する。
【００３０】
このように構成される旗竿１０は、ゴルフ場のフェアウェイに埋設されるホールカップ１００の中央に抜き差し可能に立設されるが、ゴルフ規則によれば、ホールの深さは少なくとも４．０インチ（１０１．６ｍｍ）以上であることが規定され、ホールカップ１００を埋め込む場合には、パッティンググリーン面から１．０インチ（２５．４ｍｍ：図１中  Ｚ１寸法）以上、下に沈めなければならないとされている。そのために、本実施形態に係る旗竿１０を立設する場合には、図１に示すように、受け皿３０が第１の位置に保持された状態で、パッティンググリーン面から受け皿３０までの距離（図１中  Ｚ２寸法）が４．０インチ以上となるホールカップ１００の深さが必要になる。
【００３１】
（２）ゴルフコース旗竿の作用
図４（ａ）は保持機構５０の突起体５２と筒体４１の孔４３ａの係合を解除する状態を示す図、（ｂ）は筒体４１が軸体２０の軸に沿って上方に移動した状態を示す図、図５は受け皿３０がホールカップ１００の外側でボールＢを取り出す第２の位置に位置した状態を示す図である。
【００３２】
旗竿１０は、図１に示すように、受け皿３０がカップインするボールＢを受ける第１の位置に位置するように保持機構５０で筒体４１が軸体２０に保持された状態でホールカップ１００の底面１１０の支筒１１２に軸体２０の下端部２１を差し込むことでホールカップ１００の中央に立設される。
【００３３】
これまでのゴルフルールでは、パッティングをする際にピンは抜かなければならなかったが、２０１９年のルール改正でピンを抜くか否かをプレーヤーが選択できるようになった。これにより、例えば、ロングパットを打つ場合に、同伴者がピン傍に一人付かなければならないケースが不要になり、ピンまでの移動時間に起因する待ち時間が解消され、プレー時間の短縮を図ることが可能になった。
【００３４】
一方、ピンを抜かないままでパッティングを行い、カップインしたボールＢを取り出そうとする場合、ピンの反対側から手を入れて、ピンを挟んでボールＢを指で引き上げることが行われ、ホールカップからボールＢが取り出しにくくなる虞があった。また、ボールＢが取り出しにくい場合、ホールカップの近くまで寄りすぎると、ホールカップの周りの形を崩す虞もあった。
【００３５】
本実施形態に係る旗竿１０によれば、ホールカップ１００にカップインしたボールＢは、第１の位置に位置する受け皿３０の貫通孔３１に嵌り合って受け皿３０上で保持される。
係る状態で、図４（ａ）に示すように、突出部５３を軽く押圧する（図４（ａ）中  矢印Ｒ１参照）と、突起体５２が筒体４１の孔４３ａから離脱する（図４（ａ）中  矢印参照）。筒体４１は、コイルばね４２で軸体２０の上方に付勢されているために、コイルばね４２によって軸体２０の軸に沿って上方に移動する（図４（ｂ）中  矢印Ｒ２参照）。筒体４１の一端には受け皿３０が一体的に接続されているために、受け皿３０は筒体４１の移動とともに、上方へ移動し、ホールカップ１００の外で、ボールＢを取り出す第２の位置に移動する。
【００３６】
受け皿３０の第２の位置への移動に際し、ボールＢは、受け皿３０の貫通孔３１に嵌り合って受け皿３０上で保持され、また、受け皿３０の外周縁には、ホールカップ１００の開口側に周囲が立ち上がるように壁部３２が設けられているために、ボールＢが受け皿３０から脱落する虞はない。
【００３７】
このようにして、図５に示すように、ボールＢを保持した受け皿３０がホールカップ１００の外側で第２の位置に位置することで、プレーヤーは旗竿１０の存在を気にすることなく容易にボールＢを取り出すことができる。取り出すボールＢがホールカップ１００の外に位置していることで、ホールカップ１００に近づきすぎることなく、例えば、靴一足分は離れた状態でボールＢを取り出すことができる。また、プレーヤーは、受け皿３０が第２の位置まで移動しない場合に比べて腰を大きく屈めることなく、ボールＢを取り出すことができる。
【００３８】
第２の位置でボールＢを取り出した後、筒体４１を押し下げる（図５中  矢印Ｒ３参照）と、保持機構５０の突起体５２が筒体４１の孔４３ａにバネ材の弾力によって嵌まり込むことにより、受け皿３０はカップインするボールＢを受ける第１の位置で保持され、次のプレーヤーのパッティングに備えることができる。
【符号の説明】
【００３９】
１０・・・ゴルフコース旗竿
２０・・・軸体
３０・・・受け皿
３１・・・貫通孔
３２・・・壁部
４０・・・移動機構
４１・・・筒体
４２・・・コイルばね
４３ａ、４３ｂ・・・孔
５０・・・保持機構
５１・・・係合片
５２・・・突起体
５３・・・突出部
１００・・・ホールカップ
【要約】
【課題】ピンを立てたままでパットをした場合に、ホールのふちを傷めることなくホールカップの外側でボールを取り出し、プレー時間の短縮を図ることができるゴルフコース旗竿を提供する。
【解決手段】ゴルフ場のグリーンのホールカップ内に設置されるゴルフコース旗竿であって、ホールカップの中央に抜き差し可能に配置される軸体と、軸体の軸に沿って移動可能に保持され、ホールカップにカップインするボールを受けて保持する受け皿と、受け皿を、カップインするボールを受ける第１の位置からホールカップの外側でボールを取り出す第２の位置に移動させる移動手段と、を備えた。
【選択図】図５【図１】
0006647494.tif 000002
【図２】
0006647494.tif 000003
【図３】
0006647494.tif 000004
【図４】
0006647494.tif 000005
【図５】
0006647494.tif 000006